(57)【特許請求の範囲】
【請求項１】
水路等の魚類迷入水域に、テープ等からなる暖簾又は簾状の通水を許容するカーテンを張設して、前記カーテンを水流と直交方向に往復動させるようにしたことを特徴とする魚類迷入防止装置。
【請求項２】
前記カーテンが、カーテン支持体と、該支持体上に往復動可能に載設された台車と、該台車に吊設されたカーテン本体と、前記台車の駆動手段とから成ることを特徴とする請求項１に記載の魚類迷入防止装置。
【発明の詳細な説明】
【０００１】
【産業上の利用分野】
本発明は、本流河川から分岐した小河川、取水路等に魚が流れ込むのを防止する魚類迷入防止装置に関するものである。
【０００２】
【従来の技術】
一般に本流河川から分岐した取水路等には、入口に除塵スクリーンが設置され、その下流側に取水ゲートが開閉自在に設けられており、取水時に取水ゲートを上昇させて水路を開くようになっている。
【０００３】
【発明が解決しようとする課題】
ところで、除塵スクリーンを通って取水路内に入った魚類は、取水ゲートを開くと、取水路下流へと流れ込み、本流河川を魚類が遡上あるいは流下しないという問題がある。
【０００４】
本発明は、上述のような実状に鑑みてなされたもので、その目的とするところは、水路等に魚類が迷入するのを防止でき、魚類を本流河川等所望の場所に移動させることが可能な魚類迷入防止装置を提供するにある。
【０００５】
【課題を解決するための手段】
本発明では、前記目的を達成するために、次の技術的手段を講じた。即ち、本発明は、水路等の魚類迷入水域に、テープ等からなる暖簾又は簾状の通水を許容するカーテンを張設して、前記カーテンを水流と直交方向に往復動させるようにしたことを特徴としている。
【０００６】
さらに、本発明は、前記カーテンが、カーテン支持体と、該支持体上に往復動可能に載設された台車と、該台車に吊設されたカーテン本体と、前記台車の駆動手段とから成ることを特徴としている。
【０００７】
【作用】
本発明によれば、暖簾又は簾状に垂れ下がったカーテン構成部材が、水の流れによってひらひらと揺動するので魚類の視覚を刺激し、魚類がカーテンに近寄らなくなり、水路等へ迷入するのを防止できる。
【０００８】
さらに、カーテンを積極的に動かすことで、魚類の視覚を効果的に刺激する。
【０００９】
【実施例】
以下、本発明の実施例を図面に基づき説明する。
【００１０】
図１、図２は、本発明の参考例を示し、（１）は本流河川、（２）は取水路で該取水路（２）の入口（２Ａ）には、除塵用のバースクリーン（３）が水路を横切るように配設されている。そして、取水路（２）には、バースクリーン（３）の下流側にカーテン（９）が設置され、その下流側に位置して取水ゲート（４）が昇降可能に配設され、その直上の機械室（５）に設けられた開閉装置（６）により昇降されるようになっている。
【００１１】
取水路（２Ｃ）は、取水路（２）の一部で、スクリーン（３）からカーテン（９）までの間である。
【００１２】
（７）は魚類迷入防止装置で、前記取水ゲート（４）の上流側に、水路側壁（８）間に水路を横切るように張設されたカーテン（９）からなっている。該装置（７）を構成するカーテン（９）は合成樹脂製テープ（又は天然布）を、水路側壁（８）間に所定の間隔で垂下状に多数列設したもので、通水を許容するようになっている。（１０）は取水堰である。
【００１３】
前記カーテン（９）の下端は、水流によって浮上しないように、路底（２Ｂ）に固定するか、又は重錘を取り付けてある。
【００１４】
前記参考例によれば、カーテン（９）は、取水ゲート（４）を上昇させて水路を開くことにより、水流によってひらひらと揺動し、前記スクリーン（３）を通って該取水路（２Ｃ）内に入った魚類は、その視覚が刺激されて近寄らなくなり、本流河川（１）に逆戻りし、取水路（２）内に迷入することはない。
【００１５】
図３、図４は、本発明の実施例を示し、カーテン（９）が、水路側壁（８）、（８）天端間に架設された梁状のカーテン支持体（１１）と該支持体（１１）上に水路幅方向に往復動可能に載設された台車（１２）と該台車（１２）に吊設されたカーテン本体（１３）と、台車駆動手段（１４）とから成っており、前記カーテン本体（１３）は水流と直交方向に往復動されるようになっている。
【００１６】
前記カーテン本体（１３）は、上端の枠体（１５）に合成樹脂製テープ（１３Ａ）を吊下状に任意の間隔で多数固着し、各テープ（１３Ａ）の下端に棒状の重錘（１６）を取り付けたものであり、各テープ（１３Ａ）間を流水が殆ど抵抗なく流過するように構成されている。
【００１７】
そして、前記枠体（１５）は、懸吊杆（１７）により前記台車（１２）に取り付けられている。なお、両水路側壁（８）には、台車（１２）のストローク相当量だけの深さの溝（１８）が設けられ、カーテン本体（１３）の長さも台車（１２）のストローク相当量だけ取水路幅よりも長くされ、カーテン本体（１３）の両端部が交互に出退して、常にカーテン本体（１３）が取水路（２）の路全幅を横切る状態を確保できるように構成されている。
【００１８】
前記駆動手段（１４）は、一端が台車（１２）の端部にピン連結されたクランクロッド（１９）と、クランクロッド（１９）の他端が枢着されかつ水路側壁（８）上に立設された立軸（２０）に回転自在に枢着された円盤状クランク（２１）と該クランク（２１）の外周に設けられている歯部（２２）に噛合し、かつ減速機（２３）の出力軸（２３Ａ）に固着された駆動ピニオン（２４）と、駆動モータ（２５）とからなっている。
【００１９】
前記実施例によれば、駆動モータ（２５）の運転によって、台車（１２）が図中矢印で示す方向に一定のストロークで往復動し、この往復動と水流の相乗効果によって、各テープ（１３Ａ）がひらひらと強制的に揺動され、魚類の視覚を効果的に刺激して、魚類の取水路（２）内への迷入を確実に防止することができる。
【００２０】
前記カーテン（９）を構成するテープの色は白色が好ましいが、魚類の視覚を刺激するのに効果的な色を選択し採用することができ、テープの幅、本数等も適宜選択することが可能であり、さらに、カーテン（９）を上下流方向に複数列に配設することができる。
【００２１】
本発明は、前記実施例に限定されるものではなく、例えば、前記駆動手段（１４）は、他の往復運動メカニズムを採用できるほか、駆動モータはソーラー、風力、商用電源等の動力を使用しうることは勿論であり、適宜設計変更が可能である。
【００２２】
【発明の効果】
本発明は、上述のように、水路等の魚類迷入水域に、テープ等からなる暖簾又は簾状の通水を許容するカーテンを張設したものであるから、魚類がカーテンに近寄らなくなり、水路等に迷入するのを確実に防止できるとともに、前記カーテンを水流と直交方向に往復動させるものであるから、カーテンの揺動を強制的に行い魚類の視覚を効果的に刺激して、迷入を確実に防止することができる。
【００２３】
さらに本発明は、前記カーテンが、カーテン支持体と、該支持体上に往復動可能に載設された台車と、該台車に吊設されたカーテン本体と、前記台車の駆動手段とから成るものであるから、カーテンの揺動を円滑かつ確実に行なうことができる。
【図面の簡単な説明】
【図１】  本発明の参考例を示す縦断側面図である。
【図２】  図１の一部省略平面図である。
【図３】  本発明の実施例を示す正面図である。
【図４】  図３の平面図である。
【符号の説明】
２  取水路
７  魚類迷入防止装置
９  カーテン
１１  カーテン支持体
１２  台車
１３  カーテン本体
１４  駆動手段
【図１】
0003641513.tif 000002
【図２】
0003641513.tif 000003
【図３】
0003641513.tif 000004
【図４】
0003641513.tif 000005